(57)【要約】【課題】電子線香のほんの数ｍｍ程度の擬似燃焼部での放光を強め、かつ擬似燃焼部の形体を実際の仏具としての線香に似せるようになし、実際の仏具としての線香が燃焼しているとの印象を与えることの出来る電子線香を提供するもので、電子線香ばかりでなく電子香炉等の燃焼部分が小さい場合に似せた放光による燃焼状態を形成する。【解決手段】線香体の先端部表面を多数のギザギザ状の凹凸状の反射面として形成し、電源部から出力される電圧が周期的に強弱して印加されるように制御する制御部を有して、強弱した電圧印加によって発光した光を前記ギザギザ状の凹凸状の反射面で反射させてゆらぎ状の放光をさせる。【選択図】図１
2008229069.tif 000002
【特許請求の範囲】
【請求項１】
線香立て形状の基体と、該基体の内部に配設された電源部および該電源部から出力された電圧が印加されて発光する発光装置と、該発光装置からの光を先端部で放光させる放光体と、前記発光装置からの光を導く穴部の形成された放香体保持部を備えた電子香具において、
前記放光体の先端部表面を多数のギザギザ状の凹凸状の反射面として形成し、
前記電源部から出力される電圧が任意に強弱して印加されるように制御する制御部を有して、強弱した電圧印加によって発光した光を前記ギザギザ状の凹凸状の反射面で反射させたゆらぎ状の放光をさせること
を特徴とする電子香具。
【請求項２】
請求項１において、前記電子香具は電子線香であり、前記放光体は線光体であり、前記放光体保持部は前記線光体を保持する線香体立てであり、前記線光体の先端部表面を多数のギザギザ状の凹凸状の反対面として形成したことを特徴とする電子線香。
【請求項３】
請求項２において、前記線香体立てには、複数の穴部が設けられてそれぞれ線香体が保持され、複数の線香体はそれぞれアトランダムにあるいはゆらぎ周期が異なるように前記制御部によって制御されることを特徴とする電子線香。
【請求項４】
請求項２において、前記線香体立てには、複数の穴部が設けられてそれぞれ線香体が保持され、ゆらぎ周期が複数の線香体で同一の周期になるように前記制御部によって制御されたことを特徴とする電子線香。
【請求項５】
請求項１において、前記電子香具は電子香炉であり、前記放光体は山形状の香ブロックであり、該香ブロックの先端部は小山形状の模擬燃焼部として構成され、前記放光体保持部は香ブロック保持部であり、前記模擬燃焼部表面を多数のギザギザ状の凹凸状の反射面として形成したことを特徴とする電子香炉。
【発明の詳細な説明】
【技術分野】
【０００１】
本発明は、電子香具に関し、特に電子線香あるいは電子香炉に関する。
【背景技術】
【０００２】
仏事等に用いられる線香あるいは香炉に代えて倒れても付近の物に引火するおそれのなく、取り扱い易い電子線香あるいは電子香炉が提案され、市販されるようになった。
【０００３】
特許文献１には、市販の線香台に置くことが可能な基体と、基体に配設された電源部と、基体に取り付けられて電源部から出力された電圧が印加された場合に発光する発光体と、基体に開口されて発光体からの光りを導く穴と、基端部が前記穴に挿入された状態で前記発光体からの光を先端部から放光させる線香体とを備えた電子線香であって、透明プラスチック棒体の露出先端部に、加熱により収縮するチューブを被せたことを特徴とする電子線香が記載されている。
【０００４】
特許文献２には、神様又は仏様からなる信仰体を有するケースと、ケースに設けられＬＥＤを有する支持体と、ＬＥＤをゆらぎ発光させるための駆動信号を発生するための電子回路とを備え、駆動信号は、ＣＰＵで作成したゆらぎ発光させるためのデータをＲＯＭに書き込み、ＲＯＭから読み出されたデータに基づいて得る構成としたことを特徴とするゆらぎ発光体を有する神仏具が記載されている。
【０００５】
特許文献３には、入射面から入射した光を導き、導いた光を反射面で反射させて出射面から出射する導光材であって、反射面に、導光方向を横切る方向に延びる反射溝を複数本配設し、これら反射溝相互間には、隙間１を設けた導光材が記載されている。
【０００６】
【特許文献１】特開２００２−２７２５９２号公報
【特許文献２】特開２０００−２４５６１７号公報
【特許文献３】特開２００５−２２８５３６号公報
【発明の開示】
【発明が解決しようとする課題】
【０００７】
線香体の先端部にチューブを被せるなどして放光部分を形成するような場合には、市販されている線香の形体とは相違するものとなり、また放光状態も実際の線香の燃焼とは似ているものとはいえないものとなる。従って、電子線香とすることによって安全性は確保されることとなるが、実際の線香の燃焼形体とは異なってしまい、いかにも電子線香であるとの印象を与えることになってしまう。また、従来、ろうそくあるいは線香型の神仏具にゆらぎを発光させることが提案されるところであるが、電子線香のほんの数ｍｍ程度の擬似燃焼部に単にゆらぎ発光させてもゆらぎ方において実際の線香の燃焼の赤色ゆらぎには到達せず、この場合にあっても電子式の線香であるとの印象を与えることになる。
【０００８】
本発明は、かかる点に鑑みて電子線香のほんの数ｍｍ程度の擬似燃焼部での放光を強め、かつ擬似燃焼部の形体を実際の仏具としての線香に似せるようになし、実際の仏具としての線香が燃焼しているとの印象を与えることの出来る電子線香を提供するもので、電子線香ばかりでなく電子香炉等の燃焼部分が小さい場合に似せた放光による燃焼状態を形成することを目的とする。
【課題を解決するための手段】
【０００９】
本発明は、線香立て形状の基体と、該基体の内部に配設された電源部および該電源部から出力された電圧が印加されて発光する発光装置と、該発光装置からの光を先端部で放光させる放光体と、前記発光装置からの光を導く穴部の形成された放香体保持部を備えた電子香具において、
前記放光体の先端部表面を多数のギザギザ状の凹凸状の反射面として形成し、
前記電源部から出力される電圧が任意に強弱して印加されるように制御する制御部を有して、強弱した電圧印加によって発光した光を前記ギザギザ状の凹凸状の反射面で反射させたゆらぎ状の放光をさせること
を特徴とする電子香具を提供する。
【００１０】
上記電子香具は電子線香であり、前記放光体は線光体であり、前記放光体保持部は前記線光体を保持する線香体立てであり、前記線光体の先端部表面を多数のギザギザ状の凹凸状の反対面として形成したことを特徴とする。
【００１１】
また、上記電子香具は、前記線香体立てには、複数の穴部が設けられてそれぞれ線香体が保持され、複数の線香体はそれぞれアトランダムにあるいはゆらぎ周期が異なるように前記制御部によって制御されることを特徴とする。
【００１２】
また、上記電子香具は、前記線香体立てには、複数の穴部が設けられてそれぞれ線香体が保持され、ゆらぎ周期が複数の線香体で同一の周期になるように前記制御部によって制御されたことを特徴とする。
【００１３】
上記電子香具は電子香炉であり、前記放光体は山形状の香ブロックであり、該香ブロックの先端部は小山形状の模擬燃焼部として構成され、前記放光体保持部は香ブロック保持部であり、前記模擬燃焼部表面を多数のギザギザ状の凹凸状の反射面として形成したことを特徴とする。
【発明の効果】
【００１４】
本発明によれば、ギザギザ状の凹凸状の反射面をゆらぎ形成手段との組み合わせになる相乗効果によって電子線香の場合、ほんの数ｍｍ程度の擬似燃焼部での放光を強め実際の線香が燃焼していると同様のゆらぎを形成し、しかも線香体自体が実際の線香と同様形体とすることができるので、実際の仏具としての線香が燃焼しているとの印象を与えることができ、しかも電子線香ばかりでなく他の電子香具についても燃焼部分が小さい場合に同様に放光による燃焼状態を形成することができる。
【発明を実施するための最良の形態】
【００１５】
以下、本発明の実施例を図面に基づいて説明する。
【実施例１】
【００１６】
図１から図５は、本発明の実施例である電子線香の構成を示す図である。図１は、本実施例である電子線香の全体を示し、図２は、電子線香の基体を示し、図３は線香体立てを示し、図４は、擬似線香体（線香体）を示し、図５は制御部による制御状態を示す図である。
【００１７】
図１において、電子香具としての電子線香１は、基体１と線香体２を備える。図２に示すように基体１の内部空間部３には電池および電池ボックスで構成される電源部４、発光装置（発光体）として発光ダイオード（ＬＥＤ）５、制御基板６で構成される制御部、電源スイッチ７、基体１に一体とされた平板状の放香体保持部としての線香立て８。線香立て８と発光ダイオードとの間に設けられた線香立て８と一体の導光路形成部９、線香立て８と一体とされて、制御基板６を保持する保持部１０、電源スイッチ保持部１１および導光路形成部９の中央部に形成された穴部１２からなり、線香立て８の上側に上側凹部１３が形成される。穴部１２は、１ヶ所のみ表示してあるが、本例の場合、３つの穴部とされている。２つであっても４つ以上であってもよい。いずれの穴部には発光ダイオード５が対応して設けてあり、発光ダイオード５で発光された光は穴部９から上方に導かれることになる。発光ダイオード５は制御基板６で保持され、発光のための電圧が制御されて印加される。
【００１８】
穴部１２には図１に示すようにして線香体２が立てられ、保持される。なお、図１では直立した線香体２としているが傾斜して立てられてもよい。
【００１９】
図３は、線香立て８を上方から見た図である。線香立て８には３つの穴部１２が設けてあり、上方に開口している。また、線香立て８の表面には電源スイッチの押圧７Ａが設けてある。上述したように、穴部１２には線香体２が立てられ、穴部１２によって抜き差し可能にして保持される。線香体２を穴部１２に固定することも可能であるが、持ち運び上、あるいは実際の線香に似せるためにも抜き差し可能にすることが望ましい。
【００２０】
図４は、擬似線香体としての線香体２を示す。線香体２は、実際の線香の太さと長さに透明プラスチックあるいはグラスファイバなどの導光体２１によって形成される。導光体は透明なアクリル樹脂、ポリカーボネイト系樹脂、エポキシ樹脂などの透明な樹脂材料やガラスなどで作られることはよく知られている。
【００２１】
線香体２は、上端部２２の数ｍｍを残して順次白色、白色と黒色との混合色（灰色）、黒色および緑色に塗装され、それぞれ白色部２３、混合色部２４、黒色部２５および緑色部２６が形成され、それぞれの部の長さは実際の線香の燃焼時に擬せられる。
【００２２】
上端部の面２２Ａは、塗装されることなく、全体的に多数（無数）のギザギザ状の極めて小さな凹凸状が形成された反射面とされる発光ダイオード５から供給される光は赤色とされる。発光ダイオードには赤以外にも緑、青を発光するものがあるが、本例では赤色を発光するダイオードを採用する。これによって、導光体２１を伝わった赤色の光はギザギザ状の反射面で反射して放光する。ギザギザ状の凹凸状は紙やすりの１０００番程度で研磨した時に形成される程度の凹凸で充分である。
【００２３】
図５において、制御部３１には電源４、発光ダイオード５および電源スイッチ７が接続される。制御部１は、演算処理部３２、発光制御部３３、ＲＡＭ３４、ＲＯＭ３５等の記憶媒体および発光制御部３３からの指令を受け発光ダイオード５に対して制御信号を指令する出力部３６を備える。演算処理部３２は記憶媒体に記憶されたプログラムによってランダムにあるいは周期状の信号を生成し、発光制御部３３に演算結果を伝え、発光制御部３７は、演算結果に基づいて制御信号を生成する。制御信号として印加する電圧に強弱つける信号が生成される。これによって、線香体２の先端部の表面ではゆうき状の放光がなされる。そして、ギザギザ状の凹凸状の反射面によって、強弱した電圧印加によって発光した光は反射が効率よく強く行われることによってゆらぎが強められ、わずか数ｍｍ程度の長さであって細い先端部２０で、あっても赤色の強い、弱いゆらぎとなって現われることになる。また、制御信号としては、３本の線香体２にそれぞれゆらぎが異なるように、周期が同一もしくは異なるように発生させる信号とすることができる。
【００２４】
以上のようにして、擬似の線香体２の先端部表面をギザギザ状の凹凸状の反射面とし、電源部４から出力される電圧が任意に強弱して印加されるように制御する制御部３１を設け、強弱した電圧印加によって発光した光をギザギザ状の凹凸状の反射面で反射させたゆらぎ状の放光とすることができる。
【実施例２】
【００２５】
図６は、第二の実施例の構成を示し、先の実施例の図１に相当する。
【００２６】
図６は、電子香具としての電子香炉５１を示す。先の実施例と構成は同様であり、従って、異なる部分について主に説明するものとし、説明のない同様の構成については、先の実施例の説明を援用するものとする。図６には線香体２に代えて擬似香ブロック（香ブロック）５２が記載してある。香ブロック５２の詳細を図７に示す。図７において、香ブロック５２は、先端部５３である。擬似燃焼部を有して、この部分には先例と同様に塗装が施されていない。擬似燃焼部の下方には順次、白色５４、灰色の灰部５５、焦げ色の焦げ部５６および香色の香本体部５７が装着によって形成される。このようにして形成された香ブロック５２は、実際の香ブロックに似せて山形形状とされ、擬似燃焼部５３は相似形の小山形状とされる。
【００２７】
先端部５３の表面５３Ａは先例と同じく、ギザギザ状の極めて細かな凹凸が形成された反射面とされる。そして香ブロック５２全体が導光体で製作され、下端部に三つの細長い導光部５８を有して、先例と同様に穴部に抜き差し可能なようにして差し込まれて保持される。
【００２８】
先例と同様に発光した光は導光部５７を経由して香ブロック５２に伝達され、先端部５３でのみ放光する。以上のようにして、擬似のブロック５２の先端部表面をギザギザ状の凹凸状の反射面とし、電源部４から出力される電圧が任意に強弱して印加されるように制御する制御部３１を設け、強弱した電圧印加によって発光した光をギザギザ状の凹凸状の反射面で反射させたゆうぎ状の放光とすることができる。
【００２９】
このように、電子香具は電子香炉であり、放光体は山形状の香ブロック５２であり、香ブロック５２の先端部は小山形状の模擬燃焼部として構成され、放光体保持部は香ブロック保持部であり、模擬燃焼部表面を多数のギザギザ状の凹凸状の反射面として形成した電子香炉が構成される。
【図面の簡単な説明】
【００３０】
【図１】本発明の実施例の構成を示す外観図。
【図２】基体の内部に配設される構造物を示す図。
【図３】線香立ての平面図。
【図４】線香体の詳細を示す図。
【図５】制御部による制御構成を示す図。
【図６】本発明の他の実施例の構成を示す外観図。
【図７】香ブロックの詳細を示す図。
【符号の説明】
【００３１】
１…電子線香、２…模擬線香体（線香体）、３…内部空間、４…電源部、５…発光ダイオード（ＬＥＤ）、６…制御基板、７…電源スイッチ、８…線香立て、９…導光路形成部、１０…保持体、１２…穴部、２２…先端部（擬似燃焼部）、２２Ａ…表面、５１…電子香炉、５２…擬似香ブロック（香ブロック）、５３…先端部（擬似燃焼部）、５３Ａ…表面。
【図１】
2008229069.tif 000003
【図２】
2008229069.tif 000004
【図３】
2008229069.tif 000005
【図４】
2008229069.tif 000006
【図５】
2008229069.tif 000007
【図６】
2008229069.tif 000008
【図７】
2008229069.tif 000009